(57)【要約】【課題】癌細胞部位の温度を４２℃以上とすることにより、癌細胞の生存環境を悪くして、該癌細胞を除々に弱らせて行き、死滅させる。【解決手段】焙煎して炭化したにんにく粉末、スピルニナ粉末および牡蠣殻粉末を混合して得られた炭化状粉末食品を癌患者に飲用させて、該炭化状粉末食品をその流動路である食道から肛門までの内臓の粘膜に付着、または内臓内に滞留させた後、カーボンのアーク放電により温熱と共に、遠赤外線を含む太陽光線と類似する光線を照射する光線治療器を、少なくとも２台、前記癌患者の癌細胞部位を体の正面側と背面側から挟み込むようセットし、然る後、該各光線治療器より温熱と共に、太陽光線に類似する光線を皮膚表面に照射して、該皮膚表面温度を４７℃程度とすることにより、癌細胞部位の温度を４２℃以上とする。【選択図】なし【特許請求の範囲】
【請求項１】
焙煎して炭化したにんにく粉末、スピルニナ粉末および牡蠣殻粉末を混合して得られた炭化状粉末食品を癌患者に飲用させて、該炭化状粉末食品をその流動路である食道から肛門までの内臓の粘膜に付着、または内臓内に滞留させた後、カーボンのアーク放電により温熱と共に、遠赤外線を含む太陽光線と類似する光線を照射する光線治療器を、少なくとも２台、前記癌患者の食道から肛門までの間にある癌細胞部位を体の正面側と背面側から挟み込むようセットし、然る後、該各光線治療器より、温熱と共に、遠赤外線を含む太陽光線に類似する光線を皮膚表面から癌細胞部位に向けて照射し、前記照射している皮膚表面温度を４７℃前後になるよう、非接触型の温度計で測定し続け、且つ前記加温された温熱を癌細胞部位に熱伝導する一方、前記光線治療器から照射された遠赤外線と、該癌細胞部位の内臓の粘膜に付着、または内臓内に滞留した炭化状粉末食品中の焙煎にんにく粉末の炭化成分の炭素から放射する遠赤外線とが、互いに共鳴・共振して励起され、遠赤外線のエネルギーを増大させて、人体の水分子を微振動させることにより、前記熱伝導した温熱を癌細胞部位において４２℃以上に加温して該癌細胞を死滅させるようにしたことを特徴とする癌温熱治療方法。
【請求項２】
焙煎して炭化したにんにく粉末、スピルニナ粉末および牡蠣殻粉末並びに角閃石微粉末を混合して得られた炭化状粉末食品を癌患者に飲用させて、該炭化状粉末食品をその流動路である食道から肛門までの内臓の粘膜に付着、または内臓内に滞留させた後、カーボンのアーク放電により温熱と共に、遠赤外線を含む太陽光線と類似する光線を照射する光線治療器を、少なくとも２台、前記癌患者の食道から肛門までの間にある癌細胞部位を体の正面側と背面側から挟み込むようセットし、然る後、該各光線治療器より、温熱と共に、遠赤外線を含む太陽光線に類似する光線を皮膚表面から癌細胞部位に向けて照射し、前記照射している皮膚表面温度を４７℃前後になるよう、非接触型の温度計で測定し続け、且つ前記加温された温熱を癌細胞部位に熱伝導する一方、前記光線治療器から照射された遠赤外線と、該癌細胞部位の内臓の粘膜に付着、または内臓内に滞留した炭化状粉末食品中の焙煎にんにく粉末の炭化成分の炭素および角閃石から放射する遠赤外線とが、互いに共鳴・共振して励起され、遠赤外線のエネルギーを増大させて、人体の水分子を微振動させることにより、前記熱伝導した温熱を癌細胞部位において４２℃以上に加温して該癌細胞を死滅させるようにしたことを特徴とする癌温熱治療方法。
【発明の詳細な説明】
【技術分野】
【０００１】
本発明は、癌患者に焙煎して炭化された焙煎にんにく粉末とスピルニナ粉末および牡蠣殻粉末とを混合して得られた炭化状粉末食品、または前記焙煎にんにく粉末とスピルニナ粉末および牡蠣殻粉末の外に、更に遠赤外線放射特性を有する天然放射性鉱物である角閃石の微粉末を混合して得られた炭化状粉末食品を飲用させて、該炭化状粉末食品を、口から飲食された飲食料物の流通路である食道から肛門までの内臓の粘膜に付着、または内臓内に滞留させた後、前記食道から肛門までの間の癌細胞に侵されている患部部位の皮膚表面に、太陽光線に類似する光線および温熱を照射する光線治療器で、温熱と共に、遠赤外線を含む太陽光線に類似する光線を照射して、前記皮膚表面温度を４７℃程度に加温して、該加温された温熱を癌細胞部位に熱伝導させると共に、該癌細胞部位の内臓の粘膜に付着、または内臓内に滞留した炭化状粉末食品中の、焙煎にんにくの炭化成分である炭素および角閃石から放射される遠赤外線と、前記光線治療器で照射された遠赤外線との共鳴・共振作用により、前記癌細胞部位を４２℃以上に加温して、前記癌細胞の生存環境を悪くして、該癌細胞を除々に弱らせて行き、死滅させるようにした癌温熱治療方法に関するものである。
【背景技術】
【０００２】
現在、西洋医学による癌(悪性腫瘍)の治療方法は、以下の方法を中心として治療されている。すなわち、（１）癌細胞に侵された部位の摘出手術、（２）放射線による治療、（３）抗癌剤投与による治療（化学療法）である。そして、これら治療方法における基本的な発想は、癌細胞を殺すということである。
【０００３】
然るに、癌細胞発生のメカニズムが完全に解明されていない現在、殺すということのみを目的としている前記治療方法は、癌細胞側からすれば種の保存という点で、これら治療の方法は大変な脅威になる訳である。従って、これらの治療方法が実施された場合、癌細胞は激しく抵抗し牙をむいて全身に散るのが現状である。
【０００４】
一方、前記西洋医学による癌の治療方法においては、手術による苦痛や放射線障害、あるいは抗癌剤による副作用による弊害に鑑み、現在前記西洋医学による治療方法に頼ることのない種々治療方法が模索されている。
【０００５】
前記西洋医学による各種治療方法に対して、癌細胞は４２℃以上の高温になると死滅してしまうことは医学的にも認められている事実であるので、癌細胞のある患部のみを加温する試みがなされているが、今だ効果的な方法は実施されていない。
【０００６】
一方、癌細胞のある患部のみを加温して癌細胞の消滅を図ることを目的とした先行技術文献を遡及検索したところ、下記２件の特許文献に開示されたものを発見した。
【先行技術文献】
【特許文献】
【０００７】
【特許文献１】特開平７−９６０４５号公報
【特許文献２】特開２００２−１７８７５号公報
【発明の概要】
【発明が解決しようとする課題】
【０００８】
前記特許文献１に開示された「癌の遠赤外線温熱治療具」は、例えば、ゼオライト、クリストバライト、麦飯石、蛇紋石等の結晶水を有し、且つ遠赤外線を放射するセラミックスを耐熱性の袋に封入したものである。そして、前記構成より成る本発明治療具を電子レンジで７０℃程度に加熱し、患部に近い表皮に当てて使用するが、熱すぎる場合にはタオル等で治療具全体を覆って使用する旨記載されている。
【０００９】
しかしながら、前記耐熱性の袋が高分子化合物である合成繊維より成るものである場合、遠赤外線は前記袋に吸収されてしまい、遠赤外線が該袋を透過して袋外に放射されることはない。何故なら、高分子化合物の固有の振動数（波長）と遠赤外線の波長が一致しているからである。
【００１０】
従って、特許文献１記載の治療具においては、セラミックスが放射する遠赤外線により身体内深部の癌組織を昇温させる旨の記載があるが、単に電子レンジにより加温されたセラミックスの熱が体表面からある程度の深度まで加温されるが、身体内深部まで加温することができないという課題があった。
【００１１】
また、特許文献２に開示された「癌温熱治療方法」は、空洞共振器に所定の高周波電力を導入すると共に、前記空洞共振器内の長手方向において電界強度一定の励振モードで前記高周波電力を共振させる工程と、前記空洞共振器の長手方向と一致するようにして人体を配置する工程と、前記人体に前記励振モードの共振状態にある前記高周波電力を印加する工程とによって、人体の所定部位を加熱して癌治療を行うものである。
【００１２】
前記構成より成る特許文献２記載の治療方法によれば、横たわった人体の全体を収容することができる大きさの空洞共振器と、該空洞共振器に高周波電力を導入するための装置が必要であり、従って病院施設においてしか設置できず、一般家庭や小さな医院においては設置することができないので、汎用性がなく、非常に高価であり、且つその施術者も熟練と経験を要するという課題があった。
【００１３】
本発明は、前記課題を解決すべくなされたものであって、焙煎して炭化したにんにく粉末とスピルリナ（螺旋状藍藻類）粉末並びに牡蠣殻粉末を混合して得られた炭化状粉末食品、または前記焙煎にんにく粉末とスピルニナ粉末および牡蠣殻粉末の外に、更に遠赤外線放射特性を有する天然放射性鉱物である角閃石の微粉末を混合して得られた炭化状粉末食品を、水等により癌患者に飲用させて、内臓の粘膜に付着、または内臓内に滞留させた後、カーボンのアーク放電により加熱された温熱と共に、太陽光線に類似する光線を皮膚表面に照射して治療する治療器として、従来汎用されている光線治療器を使用して、食道から肛門までの間にある癌細胞部位の皮膚表面に、温熱と共に、遠赤外線を含む太陽光線に類似する光線を照射して、前記皮膚表面温度を４７℃程度に加温して、該加温された温熱を癌細胞部位に熱伝導させると共に、該癌細胞部位の内臓の粘膜に付着、または内臓内に滞留した炭化状粉末食品中の、焙煎にんにく粉末の炭化成分である炭素および角閃石から放射する遠赤外線と、前記光線治療器で照射された遠赤外線とが共鳴・共振して互いに励起され、遠赤外線のエネルギーを増大させて、該遠赤外線による加温効果を高めて、癌細胞部位を４２℃以上の高温にして、癌細胞の生存環境を悪くして、該癌細胞を死滅させるようにした癌温熱治療方法である。
【００１４】
本発明は、西洋医学におけるような、癌細胞を殺すという発想ではなく、癌細胞の生存環境を悪くして、該癌細胞を徐々に弱らせて行き、死滅させ体内から排泄させるという基本的理念を目的とするものである。癌細胞の生存環境を悪くするということは、癌細胞が体内に住み難くする方法である。癌細胞が非常に嫌うものが３つある。即ち熱、光、酸素および酵素であることは周知の事実である。大学病院で癌細胞を培養する時、一番気をつけるのがこの３点である。本発明は、前記癌細胞の嫌いな熱を重点的に体内に取り入れることによって、癌細胞を死滅させることにある。
【課題を解決するための手段】
【００１５】
本発明は、焙煎して炭化したにんにく粉末、スピルニナ粉末および牡蠣殻粉末を混合して得られた炭化状粉末食品を癌患者に飲用させて、該炭化状粉末食品をその流動路である食道から肛門までの内臓の粘膜に付着、または内臓内に滞留させた後、カーボンのアーク放電により温熱と共に、遠赤外線を含む太陽光線と類似する光線を照射する光線治療器を、少なくとも２台、前記癌患者の食道から肛門までの間にある癌細胞部位を体の正面側と背面側から挟み込むようセットし、然る後、該各光線治療器より、温熱と共に、遠赤外線を含む太陽光線に類似する光線を皮膚表面から癌細胞部位に向けて照射し、前記照射している皮膚表面温度を４７℃前後になるよう、非接触型の温度計で測定し続け、且つ前記加温された温熱を癌細胞部位に熱伝導する一方、前記光線治療器から照射された遠赤外線と、該癌細胞部位の内臓の粘膜に付着、または内臓内に滞留した炭化状粉末食品中の焙煎にんにく粉末の炭化成分である炭素から放射される遠赤外線とが、互いに共鳴・共振して励起され、遠赤外線のエネルギーを増大させて、人体の水分子を微振動させることにより、前記熱伝導した温熱を癌細胞部位において４２℃以上に加温して該癌細胞を死滅させるという手段、または、
焙煎して炭化したにんにく粉末、スピルニナ粉末および牡蠣殻粉末並びに角閃石微粉末を混合して得られた炭化状粉末食品を癌患者に飲用させて、該炭化状粉末食品をその流動路である食道から肛門までの内臓の粘膜に付着、または内臓内に滞留させた後、カーボンのアーク放電により温熱と共に、遠赤外線を含む太陽光線と類似する光線を照射する光線治療器を、少なくとも２台、前記癌患者の食道から肛門までの間にある癌細胞部位を体の正面側と背面側から挟み込むようセットし、然る後、該各光線治療器より、温熱と共に、遠赤外線を含む太陽光線に類似する光線を皮膚表面から癌細胞部位に向けて照射し、前記照射している皮膚表面温度を４７℃前後になるよう、非接触型の温度計で測定し続け、且つ前記加温された温熱を癌細胞部位に熱伝導する一方、前記光線治療器から照射された遠赤外線と、該癌細胞部位の内臓の粘膜に付着、または内臓内に滞留した炭化状粉末食品中の焙煎にんにく粉末の炭化成分の炭素および角閃石から放射する遠赤外線とが、互いに共鳴・共振して励起され、遠赤外線のエネルギーを増大させて、人体の水分子を微振動させることにより、前記熱伝導した温熱を癌細胞部位において４２℃以上に加温して該癌細胞を死滅させるという手段、
を採用することにより、上記課題を解決した。
【発明の効果】
【００１６】
上記本発明癌温熱治療方法によれば、癌患者に焙煎して炭化された焙煎にんにく粉末とスピルニナ粉末および牡蠣殻粉末とを混合して得られた炭化状粉末食品、または前記焙煎にんにく粉末とスピルニナ粉末および牡蠣殻粉末の外に、更に遠赤外線放射特性を有する天然放射性鉱物である角閃石の微粉末を混合して得られた炭化状粉末食品を飲用させて、内臓の粘膜に付着、または内臓内に滞留させ、然る後、癌細胞部位に皮膚表面から温熱と遠赤外線を含む太陽光線に類似する光線を照射する光線治療器で、温熱と共に、遠赤外線を含む太陽光線に類似する光線を皮膚表面より癌細胞部位に向けて照射して、前記照射している皮膚表面温度を４７℃程度に加温すると共に、該加温された温熱を癌細胞部位に熱伝導させて、該癌細胞部位の内臓の粘膜に付着、または内臓内に滞留させた炭化状粉末食品中の焙煎にんにくの炭化成分である炭素および角閃石から放射する遠赤外線と、前記光線治療器で照射された遠赤外線との共鳴・共振作用により、前記癌細胞部位を４２℃以上に加温して、前記癌細胞の生存環境を悪くして、該癌細胞を除々に弱らせて行き、死滅させるようにしたものであるので、前記西洋医学による癌の治療方法におけるような、手術による苦痛や放射線障害、あるいは抗癌剤による副作用が全くなく、安全で、効果的な癌治療ができる。
【実施例】
【００１７】
本発明は、癌患者に炭化状粉末食品を飲用させて、該炭化状粉末食品をその流動路である内臓の粘膜に付着、または内臓内に滞留させた後、光線治療器による温熱、並びに遠赤外線を含む太陽光線に類似する光線を癌細胞近傍の皮膚表面に照射して、癌細胞を少なくとも４２℃以上に加温して、癌細胞を死滅させる癌温熱治療方法である。以下、本発明方法につき詳細に説明する。
【００１８】
本発明方法において、癌患者が飲用する炭化状粉末食品は、焙煎して炭化したにんにく粉末、スピルニナ粉末および牡牡蠣殻粉末を混合して製造したものである。
【００１９】
そして、本発明方法において、炭化状粉末食品の素材として使用する焙煎にんにくは、乾燥したにんにく粉末を、焙煎して炭化させたものである。この焙煎にんにくは、広く日本国内において製造されており、本発明で使用する焙煎にんにくの製法は任意であり、市販されている焙煎にんにく粉末は、いずれも本発明方法において使用することができる。
【００２０】
前記焙煎して炭化したにんにく粉末は、焙煎する前のにんにくと同様の効果を有する。すなわち、疲労回復効果、殺菌作用、血栓予防効果、動脈硬化予防の効果の外、癌予防効果を有する。特に、にんにくに含まれているイオウ化合物、アリキシン、テルペン、セレン等が癌予防の役目を果たすのである。更に、焙煎にんにく粉末は、炭化されて炭素を主成分とするので、当然炭素と同様の作用を有し、遠赤外線放射特性を有するものである。
【００２１】
また、前記スピルリナは、藍藻網ユレモ目の幅５〜８μｍ、長さ３００〜５００μｍ程度の螺旋形をした濃緑色の単細胞微細藻類で、約３０億年前に出現した原核生物の仲間で、現在でも熱帯地方の湖に自生している。
【００２２】
本発明方法において、炭化状粉末食品の素材として使用する乾燥したスピルニナは、タンパク質を約６０％含み、ビタミン、ミネラル、多糖類(食物繊維)、クロロフィル等を含んでいる。中でも、カロテノイド系色素のβ−カロテン、ゼアキサンチンを多く含み、その抗酸化作用がある。また、クロレラと比較して、スピルニナは、β−カロテン含有量が多く、消化吸収性が良いのが特徴である。橙黄色のカロテノイドの外、緑色の葉緑素（クロロフィル）、青色のフィコシアニンの３種の色素を含んでいる。
【００２３】
前記のような成分を含むスピルニナは、マクロファージ機能を活性化したり、腫瘍免疫能を向上させることにより、免疫賦活作用を有すると共に、硫酸化多糖の作用により、癌転移抑制作用を有し、更にゼアキサンチン、β−カロテンの作用により癌予防作用等、優れた作用を有することが知られている。
【００２４】
本発明方法において、炭化状粉末食品の素材としてスピルニナ粉末を使用するのは、前記癌転移抑制作用や癌予防作用の外、前記焙煎にんにく粉末のみであると、飲用した焙煎にんにく粉末が多孔質であるため、飲食した食物や水分を吸着して固化してしまい、本発明方法の目的を達成できないが、スピルニナ粉末は螺旋状をなしているため、該螺旋状部に前記食物や水分を吸着した焙煎にんにく粉末が取込まれて固化することなく、分散させるようにするためである。
【００２５】
更に、本発明方法において、炭化状粉末食品の素材として使用する牡蠣殻粉末は、従来公知の方法により焼成して粉末としたものを使用する。牡蠣殻粉末は炭酸カルシウム、燐酸カルシウム、珪酸、アミノ酸を含有しており、該粉末の服用により、健胃、鎮静剤、口渇き、胃のもたれ、胃酸過多に効果があることが知られている。
【００２６】
本発明方法において、炭化状粉末食品に前記牡蠣殻粉末を使用するのは、前記焙煎にんにく粉末は、飲用すると胃に負担がかかるので、これを防止することと、体内にカルシウム分を補給する目的のためである。
【００２７】
前記本発明方法において使用する炭化状粉末食品を構成する焙煎にんにく粉末、スピルニナ粉末、および牡蠣殻粉末の混合比率は、特に限定する必要はないが、好ましくは、焙煎にんにく粉末３０〜５０重量％、スピルニナ粉末３０〜５０重量％、牡蠣殻粉末１０〜３０重量％、特に好ましくは、焙煎にんにく粉末３５〜４５重量％、スピルニナ粉末３５〜４５重量％、牡蠣殻粉末１５〜２５重量％とすることが推奨される。
【００２８】
また、前記炭化状粉末食品は、飲用した場合、体内で迅速に分散するようにするため、粉末状とするが、その粒径は特に限定する必要は、好ましくは１００μｍ以下とすることが推奨される。
【００２９】
本発明者は、本発明方法で使用する炭化状粉末食品の安全性を確認するため、残留塩素の除去試験を行った。この試験に用いた炭化状粉末食品は、焙煎にんにく粉末４０重量％、スピルニナ粉末４０重量％、牡蠣殻粉末２０重量％の混合比率で製造したものである。そして、試験方法、測定方法および試験結果は下記の通りである。試験は、静岡市清水区所在の東プ株式会社で実施した。
１．試験方法
（１）  水道水２Ｌを試料１，２に分け次亜塩素酸ナトリウムにより、残留塩素濃度を５．０ｐｐｍとする。試料１を対照とする。
（２）  試料２に「炭化状粉末食品」を１．０２４９ｇ添加し、撹拌後３０分静置する。
（３）  試料１，２の残留塩素濃度を測定する。
２．測定方法    ＤＰＤ法
３．試験結果
試料１の残留塩素濃度：５．０ｐｐｍ
試料２の残留塩素濃度：０．３ｐｐｍ
除去率｛（試料１の残留塩素濃度）−（試料２の残留塩素濃度）｝／（試料１の残留塩素濃度）×１００（５．０−０．３）／５．０×１００＝９４．０％
【００３０】
前記試験結果に示すように、本発明方法において使用する炭化状粉末食品は、水道水中の残留塩素の除去率が９４．０％と非常に高いことが判った。
【００３１】
更に、本発明者は、前記炭化状粉末食品の農薬や重金属等の吸着率を試験した。この試験に用いた炭化状粉末食品は、焙煎にんにく粉末４０重量％、スピルニナ粉末４０重量％、牡蠣殻粉末２０重量％の混合比率で製造したものである。そして、試験結果は下記の表１に示す通りである。試験は、    静岡県蒲原町所在の株式会社日軽分析センター、静岡県藤枝市所在の株式会社静環検査センターおよび静岡県静岡市所在の日本ケミカル工業株式会社で行った。
【００３２】
【表１】
2011115568.tif 000002
【００３３】
前記表１に示すように、本発明に使用する炭化状粉末食品は、砒素が１２．０％と低い吸着率を有するが、農薬のダイアジノンが５８．５％、水銀が４５．０％と中低度の吸着率を有し、これら以外の農薬であるトリクロホスメチルおよびブタミホス、臭気の発生源であるアンモニアや硫化水素、重金属であるカドミウムおよび水銀、並びに塩素の吸着率はいずれも９０．１〜９９．５％と非常に高く、一般細菌数も少なく、また大腸菌群も陰性であることが確認できた。前記吸着率が高いのは、炭化状粉末食品に含有されている焙煎にんにく粉末が、焙煎されることによって多孔性の炭化物となるので、活性炭と同様の働きをするからである。
【００３４】
人体が食物や飲料を体内に取入れた後は、これら食物や飲料の分解、腐敗、発酵等の過程でアンモニアや硫化水素等のガスを発生すると共に、農薬や重金属類も体内に蓄積され、このような毒素が口臭や体臭、加齢臭、便臭等として現れ、様々な病気につながる。そして、前記炭化状粉末食品の吸着率のテスト結果から、該炭化状粉末食品を飲用すると、前記体内に蓄積された様々な毒素を分解吸着し、排泄する機能を保持しているということができる。
【００３５】
次に、本発明方法において、前記炭化状粉末食品を飲用した患者の癌細胞近傍の皮膚表面から、４７℃程度の温熱と、遠赤外線を含む太陽光線に類似する光線を照射して癌細胞を４２℃以上に加温することにより、該癌細胞を死滅させる光線治療器は、８０年以上も一般に使用され続けているものを使用する。
【００３６】
人間は、太陽からの光をエネルギーとして補給することで、日常生活を営んでいる。しかしながら、現代人は十分に日光を浴びる機会に恵まれておらず、十分に太陽光エネルギーを享受することができないのである。光線治療器は、前記のような観点から製作されたもので、太陽光線に類似する連続スペクトルの光線を照射する人工の太陽光線照射器である。太陽光線は、赤外線・可視光線・紫外線が大部分で、どれも人体に必要なものである。
【００３７】
そして、理想的な人工光源として、前記有用な光線を効率よく作り出し、然も簡単に取り扱うことのできるカーボンアーク灯を使用し、該カーボンのアーク放電により加熱された温熱と共に、遠赤外線を含む太陽光線に類似する光線を人体皮膚表面に照射して、該皮膚表面温度を４７℃程度に加温することにより、前記癌細胞を４２℃以上に加温して死滅させるものである。
【００３８】
前記光線治療器は、東京都新宿区大久保１丁目８番１８号所在の株式会社コウケントーが「コウケントー」という商標を用いて販売しており、また、大阪市城東区新喜多１丁目２番７−１７０８号所在のＫＤＤ株式会社が「ＳＡＮＡＭＯＡ」という商標を用いて販売している外、多数の会社が光線治療器を販売している。これら販売されている光線治療器は、本発明方法においていずれも使用可能であるが、本発明においては説明の都合上、前記株式会社コウケントーが販売している「コウケントー」を使用するものとして説明する。なお、以下の説明においては、前記「コウケントー」を「光線治療器」と表記する。
【００３９】
前記光線治療器におけるアーク光線は、医療用高純度カーボン（高純度炭素）に電極を設け、アーク放電させ、電極でプラズマを発生させる。この時のカーボンの燃焼温度は約３０００℃の超高温で燃焼し発光させる。これにより、直径１ｃｍ程度の人工太陽光線を作り出すのである。そして、アーク光線は、３２０μｍ〜５０００μｍまでの波長を、１μｍ単位、０．１μｍ単位、０．０１μｍ単位のように、区切りなく連続的に１０万種類以上の光の波長を同時に放出する。これは、連続フルスペクトル光と呼ばれており、該連続フルスペクトル光は、太陽と同じ原理で物質を超高温で燃焼させるカ―ボンアーク方式でなければ作ることはできない。
【００４０】
前記アーク光線を発生させるカーボン電極は、紫外線のうち、人体に有害な２８５〜３２０μｍの中波長域の紫外線（ＵＶ−Ｂ）、および１９０〜２８５μｍの低波長域の紫外線（ＵＶ−Ｃ）は放射せず、人体に有害性のない３２０〜３９０μｍの低波長域の紫外線（ＵＶ−Ａ）のみを放射する。
【００４１】
現在光線治療器におけるカーボン電極は、各メーカーによって複数種のカーボン電極が製造されているが、大別して次の４種類に分類される。そして、治療する患部の症状に応じて使い分けて使用されている。
(１)標準均一光線放射カーボン電極
３２０μｍ〜５０００μｍまでの連続スぺクトル光で、ＵＶ−Ａ、可視光線、赤外線をほぼ３等分して放射する。
（２）強赤外線放射カーボン電極
３２０μｍ〜５０００μｍまでの連続スぺクトル光で、その中で主に赤外線領域（近赤外線、中赤外線、遠赤外線）のエネルギーを高くして放射する。
（３）強ＵＶ−Ａ光線放射カーボン電極
３２０μｍ〜５０００μｍまでの連続スぺクトル光で、その中で主に３２０μｍ〜３９０μｍの低波長域の紫外線（ＵＶ−Ａ）領域のエネルギーを高くして放射する。
（４）強可視光線放射カーボン電極
３２０μｍ〜５０００μｍまでの連続スぺクトル光で、その中で主に可視光線領域のエネルギーを高くして放射する。
【００４２】
本発明においては、前記種々の電極のうち、特に遠赤外線と可視光線のエネルギーを高くした前記（１）と（２）の中間タイプのカーボン電極を使用する。
【００４３】
前記本発明方法において使用する炭火状粉末食品および光線治療器のカーボン電極に共通する特徴は、両者共に炭素成分より成るということである。本発明方法は、前記炭化状粉末食品と光線治療器の炭素成分による遠赤外線放射、並びに該光線治療器の温熱作用と遠赤外線放射で、患者の体内の癌細胞に、設定された時間中、温熱効果を及ぼし、癌細胞部位の温度を４２℃以上として癌細胞を死滅させるものである。
【００４４】
すなわち、癌患者に予め前記炭化状粉末食品を飲用させ、該炭化状粉末食品を食道から肛門までの飲食物の通路である内臓の粘膜に付着、または内臓内に滞留させる。その間、前記炭化状粉末食品中の焙煎にんにく粉末状粒子が多孔性であるため、体内のアンモニアや硫化水素、あるいはカドミニウムや水銀等の重金属類の有害物を吸着すると共に、焙煎にんにく粉末状粒子は炭素を多量に含有しているため、遠赤外線を放射する放射体である。なお、前記したようにスピルニナ粉末の作用で、前記有害物を吸着した焙煎にんにく粉末状粒子は固化せず分散して流状化し、内臓の粘膜に付着したり、または内臓内に滞留している。
【００４５】
一方、光線治療器は遠赤外線と可視光線の照射において優れているカーボン電極を使用しているため、癌患者の癌細胞近傍の皮膚表面より癌細胞へ向けてアーク放電により加熱された温熱と共に、可視光線並びに特に遠赤外線を照射する。
【００４６】
前記光線治療器からアーク放電により加熱された温熱と共に、遠赤外線を含む太陽光線に類似する光線を癌細胞部位の人体皮膚表面に照射して、該皮膚表面温度を４７℃程度に加温すると、遠赤外線の輻射熱で炭素の化合物である有機体の人体組織の深部の細胞、組織にまで熱伝導すると共に、該光線治療器からの遠赤外線が前記人体の内臓の粘膜に付着、または内臓内に滞留している炭化状粉末食品中の焙煎にんにく粉末状粒子に到達すると、前記光線治療器のアーク電極および焙煎にんにく共に、炭素成分からの遠赤外線と前記光線治療器からの遠赤外線とが互いに共鳴・共振して励起されて、該遠赤外線エネルギーを増大させて、人体の水分子を微振動させることにより、更に高温に加温されるので、癌細胞に４２℃以上の強い温熱を与えて、癌細胞を死滅させることができる。
【００４７】
前記光線治療器を用いて人体を加温しても癌細胞部位の温度は計測できないので、該光線治療器の光線が当たっている皮膚表面の温度をレーザー光を発光して非接触で該皮膚表面温度を測定できるレーザー温度計で計測し続け、前記皮膚表面が火傷しないようにする。皮膚の熱伝導度から癌細胞部位の温度も大体推測できるので、該癌細胞部位の温度を少なくとも４２℃以上するため、前記光線治療器から照射される温熱の皮膚表面温度を、４７℃程度になるよう調整する。前記皮膚表面温度の調整は、前記光線治療器本体を前後に移動させて調整する。
【００４８】
前記光線治療器を用いた癌治療の一例を説明する。例えば、患者が肝臓癌の場合、前記炭化状粉末食品を患者に飲用させた後、ベッドに横臥した患者の肝臓部位の正面側と背面側に２台の光線治療器をそれぞれセットして、肝臓部位を両側から挟むと共に、両足裏側部にも照射できるよう光線治療器を、都合３台セットすることが好ましい。少なくとも、治療部位を挟み込むように２台セットする必要がある。前記両足裏部にも照射することができるように光線治療器をセットするのは、普通一般生活において、足裏部に太陽光線が当たることはないので、該足裏部に光線治療器の光線を照射することにより、体全体の血行を促進して治療効果を上げるようにするためである。
【００４９】
前記の場合、光線治療器は最低２台セットすればよいが、足裏部の外、体全体を照射できるよう、更に光線治療器を複数台セットすると、全体の血流が促進され、治療効果も上がる。なお、体全体を照射する場合、５〜７台セットする必要がある。また、前記光線治療器には、照射部位を絞って狭い範囲を照射したり、広い範囲を照射したりできるよう、照射面積を調整する複数個の集光器が備えられているので、患部に応じて適宜集光器を使い分ける必要がある。
【００５０】
前記光線治療器を少なくとも肝臓部位を前後から挟んで照射するようセットした後、該各光線治療器に通電して、アーク電極を放電させて、該アーク電極からの温熱と、遠赤外線を含む太陽光線に類似する光線を照射する。このとき、患者の肝臓部位の皮膚表面の温度を常に前記レーザー温度計で確認する。本発明者の治験によれば、皮膚表面の温度を４７℃程度に維持すれば、肝臓部位の癌細胞の正確な温度は、測定不能であるが、皮膚の熱伝導度から判断して、大体癌細胞が死滅する４２℃以上に加温されることが推測できる。
【００５１】
次に、本発明方法を使用した本発明者らによる治療の結果、スキルス性胃癌が消滅した治験例につき説明する。患者は、６９才の男性Ｙ氏である。なお、治療は、本発明者が主宰する「日本療術院」で行い、治療開始から２カ月までの検査は、千葉県香取市所在の「花鳥いやしの郷診療所」で行った。
【００５２】
［発見から治療開始までの経過］
・平成１９年１月１５日、恒例の定期検診を神奈川県川崎市のＳ病院にて受診する。
・胃カメラ検査で胃上部にポリープが見つかり、癌検査のために組織を採取される。
・同月２０日に悪性腫瘍と告知され、内視鏡による手術が可能である旨を説明される。
・同月２９日、手術前の再検査胃カメラ画像では、１５日の検査画像より遥かに増殖が進行しており、即刻手術の必要性有りと説明を受ける。
・同月３０日、本人および家族が、「手術しないで治す方法」はないものか？と相談のため、「日本療術院」に来院される。
・本発明方法を使用した治療は、「病状の改善確認に３０日間が必要」と答えるも、「病院との約束も有り、２週間しか時間が取れない！」という状況であった。
【００５３】
［治療経過：その１・・・１月３０日〜２月１４日］
１月３０日より、患者の努力とご家族の協力を条件に、結果判定期間２週間の治療を開始する。
（１）炭化状粉末食品を服用・・・体内から薬物、残留農薬、重金属等の毒素を排出する。
（２）光線治療器による太陽光線に類似する光線、特に遠赤外線照射・・・３台の光線治療器を使用して、朝２時間、夕刻３時間の集中照射の実施。
前記治療の結果は、２月１５日の検査画像で「がんの進行が休止」と評価される。そして、病院より再度の手術を提案されるも拒否し、「日本療術院」の指導での完治を希望する。
【００５４】
［治療経過：その２・・・２月１５日〜３月２９日］
１月２９日の画像で悪性腫瘍と告知されてから、２か月経過した胃カメラ画像からは異常や腫瘍を判別することは出来なかった。
【００５５】
［治療経過：その３・・・３月３０日〜５月２日］
治療から３カ月が経過し、１クール終了後の画像による確認検査と腫瘍マーカー検査を横浜市青葉区あざみ野「Ｙ総合病院」に依頼したところ、
・胃カメラによる画像では異常は認められない。
・腫瘍マーカー≪ＣＥＡ≫は[１．５]で基準値５を大きく下回る。
との報告があり、５月２日には、腫瘍マーカー「ＡＬＰ、ｒ−ＧＴＰ」共に適値に回復した。
【００５６】
その後、５月１０日、Ｅ病理医の病理組織検査報告では、「今回の標本を見た限りでは、悪性と判断するだけの所見は見られない」と組織学的報告があった。以上の結果から、Ｙ氏のスキルス性胃がんは完治したものと認められた。
【００５７】
次に、末期肝臓癌の治験例につき説明する。この治療は前記「日本療術院」で行い、検査は千葉県香取市所在の「小見川総合病院」で行った。患者は７１才の男性Ｏ氏。Ｏ氏は胃癌の病歴がある。
【００５８】
平成２１年５月２２日、「千葉がんセンター」の医師の説明は、生化学検査のＣＡ１９−９（基準値３７Ｕ／ｍＬ）項目が１００倍弱の３５４７もあり、また、Ｔ−Ｂｉｌ（黄疸数：基準値０．２０〜１．３０ｍｇ／ｄｌ）は、０．６ｍｇ／ｄｌと基準値以下であるが、上昇すると対処できない危険な状態になると告知される。
【００５９】
平成２１年５月２３日より、毎朝食前の午前６時より、前記「日本療術院」にて皮膚表面温度を常に計測しつつ、光線治療器の位置を移動し、６０分間照射する。更に、自宅で毎食前「炭化状粉末食品」を飲用、および和漢薬の各種サプリメントの服用を継続し７７日間経過した。
【００６０】
平成２１年７月２２日、６６９６検査値を見て、前記「小見川総合病院」の主治医は治療を断念し、緊急に「千葉がんセンター」へ行くことを示唆される
【００６１】
平成２１年８月７日、「千葉がんセンター」での血液検査は、ＣＡ１９−９が８６０３．７９に急上昇するも、肝機能ＡＳＴ、ＡＬＴは改善の経過を示し、脇下での検温も３６．３度あり、体調はすこぶる良好であった。
【００６２】
Ｏ氏への本発明方法による治験の検査データを表２に示す。
【００６３】
【表２】
2011115568.tif 000003
【００６４】
前記表２において、８月７日の検査データは、「ＣＡ１９−９」以外はすべて基準値内か、基準値近くに低下している。「ＣＡ１９−９」のみは、５月２２日の数値より、６月２２日の数値は下がっているが、７月２９日、８月７日と以後は急上昇している。この「ＣＡ１９−９」の数値が急上昇しているにも拘らず、Ｏ氏は極めて体調がよくなっている。従って「ＣＡ１９−９」の数値の上昇は、本発明方法による治療の結果、崩壊した癌細胞のタンパク質が血液中に含まれ、高い数値として現れたと考えられる。実際、検査データによると、「ＡＬＴ」が基準値まで下がっているので、Ｏ氏の肝細胞の修復再生が始まったと考えられ、完治に向かっていると考えられる。
【００６５】
なお、前記記載の炭化状粉末食品は、焙煎して炭化したにんにく粉末、スピルニナ粉末および牡蠣殻粉末を混合して得られたものであるが、前記焙煎して炭化したにんにく粉末、スピルニナ粉末および牡蠣殻粉末の外に、更に遠赤外線放射特性を有する角閃石の微粉末を混合して得られた炭化状粉末食品を使用することもできる。前記角閃石を混合した炭化状粉末食品を飲用すると、更に遠赤外線放射率が高くなり、治療効果を上げることができる。
【００６６】
すなわち、本発明において使用する天然放射性鉱物である角閃石は、岩手県遠野市に埋蔵されている花崗斑岩の一種である。前記角閃石の効果については、既に多くの特許公報に開示されていると共に、その他の文献、並びにインターネットのウエブサイトに掲載されて広く知られている。
【００６７】
そして、前記角閃石の生産者である岩手県遠野市所在の株式会社古代石器が、岩手県工業技術センターに該角閃石の定量分析を依頼したころ、前記角閃石はシリカ６０重量％、酸化アルミニウム１７重量％、酸化第二鉄１７重量％、酸化チタン０．７重量％、酸化カルシウム６．２重量％、酸化マグネシウム２．７重量％、酸化ナトリウム３．３重量％、酸化カリウム１．６重量％等を含んでいるという分析結果が得られた
【００６８】
更に、前記株式会社古代石器は、食品衛生法に基づく角閃石の定量分析を前記岩手県工業技術センターに依頼したころ、下記の表３に示す定量分析結果が得られた。そして、表３の定量分析結果により、角閃石は食品衛生法上問題がないことが確認できた。
【００６９】
【表３】
2011115568.tif 000004
【００７０】
また更に、前記株式会社古代石器は、前記角閃石の遠赤外線放射率の測定を長野県工業試験場に依頼したところ、生体に良好な作用を及ぼすという４〜１５μｍの波長範囲内の遠赤外線放射率が、９０％以上であるという測定結果が得られ、本発明で採用する前記角閃石は遠赤外線放射率が高いことが立証されている。
【００７１】
そして、多数のインターネットのウエブサイトにおいて、前記角閃石が低線量の放射線を放射する旨記載されているので、この事実を確認するため、前記株式会社古代石器が、茨城県つくば市所在の財団法人放射線計測協会へ、角閃石のδ線量当量率の測定を依頼したところ、δ線量当量率が０．０７μＳｖ／ｈという測定結果が得られた。なお、この測定数値は、バックグラウンド（角閃石のないδ線量当量率が０．０６μＳｖ／ｈ）を含んでおり、従って、前記δ線量当量率が０．０７μＳｖ／ｈの数値は、生体に全く悪い影響を及ぼすような数値ではなく、生体にとって安全な極めて低線量の放射線を放射していることが確認することができた。
【００７２】
本発明者は、前記角閃石が極めて低線量の放射線を放射しているという測定結果から、該角閃石が低線量の放射線を放射するのは、特開２００４−１２１６８５号公報の記載、並びに多数のインターネットのウエブサイトの記載から、前記角閃石にはカリウム４０が含有されており、該カリウム４０から低線量の放射線が放射されていると判断した。
【００７３】
なお、前記特開２００４−１２１６８５号に開示された鉱物は、石英斑岩である旨記載されているが、本願発明の角閃石が属する花崗斑岩の中で、特に斑晶の少ないものが石英斑岩と云われているので、両者は同一性状を有する鉱物であると判断できる。
【００７４】
前記特開２００４−１２１６８５号公報中に、カリウム４０は、ラジウム、ウラン、トリウムのように取扱いに危険性がある物質ではなく、低放射能で法規制のない安全な物質である旨記載されていることからも、本発明で採用する角閃石は、低線量の放射線を放射するカリウム４０を含有するものの、極めて安全な天然放射性鉱物であるということができる。
【００７５】
そして、前記カリウム４０を含有している角閃石は、該カリウム４０によって角閃石を組成するＮａ、Ｃａ、Ｍｇ、Ｋが励起されて活性化され、遠赤外線放射効果を高めることができる。
【００７６】
前記のような作用および効果を有する角閃石微粉末を、焙煎して炭化したにんにく粉末、スピルニナ粉末および牡蠣殻粉末の外に混合して炭化状粉末食品とすることにより、前記炭化状粉末食品中の炭化したにんにく粉末からの遠赤外線放射が、前記角閃石の励起作用で遠赤外線放射効果が高まると共に、該角閃石自体からの遠赤外線放射、光線治療器の炭素成分による遠赤外線放射、並びに該光線治療器の温熱作用と遠赤外線放射で、患者の体内の癌細胞に、設定された時間中、温熱効果を及ぼし、癌細胞部位の温度を４２℃以上として癌細胞を死滅させるものである。
【００７７】
前記焙煎して炭化したにんにく粉末、スピルニナ粉末および牡蠣殻粉末の外に角閃石微粉末を混合する混合比率は、特に限定する必要はないが、好ましくは、焙煎にんにく粉末３０〜５０重量％、スピルニナ粉末３０〜４０重量％、牡蠣殻粉末１５〜２０重量％、角閃石微粉末５〜２０重量％とすることが推奨される。なお、角閃石微粉末は、飲用するため、できるだけ粒径を
小さくする必要があり、好ましくは１０μｍ以下の微粉末とすることが推奨される。
【００７８】
なお、前記焙煎して炭化したにんにく粉末、スピルニナ粉末および牡蠣殻粉末の外に角閃石微粉末を混合して得られた炭化状粉末食品の作用および効果は、角閃石微粉末を混合していない炭化状粉末食品とほぼ同一であるので、詳細な説明を省略する。